(57)【要約】【課題】  撮影者のナレーションを再生時においても撮影目標の音声とは独立に音量のコントロールを可能にする。さらにナレーションの記録、再生の有無の選択を可能にする【解決手段】  撮影者のナレーションを録音するナレーションマイクを備え、オーディオエンコーダはLch記録用マイクと、Rch記録用マイクと、ナレーションマイクから得られる計3chの音声を各チャネルごとに独立にエンコードし、オーディオストリームを生成する。【選択図】  図１
2011130469.tif 000002
【特許請求の範囲】
【請求項１】
信号を記録媒体に記録可能な記録装置であって、
第１の信号入力手段と、第２の信号入力手段と、第３の信号入力手段と、を備え、
前記第１の信号入力手段から入力された信号を前記記録媒体の第１の記録エリアに記録し、前記第２の信号入力手段から入力された信号を前記記録媒体の第２の記録エリアに記録し、前記第３の信号入力手段から入力された信号を前記記録媒体の第３の記録エリアに記録することを特徴とする記録装置。
【請求項２】
音声を記録媒体に記録する記録装置であって、
第１のマイクと、第２のマイクと、第３のマイクと、を備え、
前記第１のマイクで集音された音声を前記記録媒体の第１の領域に記録し、前記第２のマイクで集音された音声を前記記録媒体の第２の領域に記録し、前記第３のマイクで集音された音声を前記記録媒体の第３の領域に記録することを特徴とする記録装置。
【請求項３】
請求項２に記載の記録装置は、映像を記録する映像記録手段を備え、
前記第１のマイクは前記記録手段により記録する記録対象の左側の音声を集音し、
前記第２のマイクは前記記録対象の右側の音声を集音し、
前記第３のマイクは前記記録装置の使用者の音声を集音することを特徴とする記録装置。
【請求項４】
撮影目標のLch音声を集音し、デジタル信号に変換するLch記録用マイクと、
撮影目標のRch音声を集音し、デジタル信号に変換するRch記録用マイクと、
撮影者の音声を集音し、デジタル信号に変換するナレーションマイクと、
前記Lch記録用マイク、前記Rch記録用マイク、前記ナレーションマイクから得られるデジタル信号に対し、情報圧縮を行いオーディオストリームを生成するオーディオエンコーダと、
撮影目標の映像をデジタル信号に変換するカメラと、
前記カメラから得られるデジタル信号に対し情報圧縮を行いビデオストリームを生成するビデオエンコーダと、
前記ビデオエンコーダから得られるビデオストリームと前記オーディオエンコーダから得られるオーディオストリームが同時に再生されるよう同期処理を行いAVストリームを生成するマルチプレクサと、
前記マルチプレクサが出力するAVストリームを格納する記録媒体とを備え、前記オーディオエンコーダは前記Lch記録用マイク、前記Rch記録用マイク、前記ナレーションマイクから得られるデジタル信号を独立したチャネルとしてエンコードすることを特徴としたビデオカメラ。
【請求項５】
前記マルチプレクサが出力するAVストリームを格納した記録媒体と、
前記記録媒体に対し、記録時は書き込み、再生時は格納されたAVストリームを読み出すよう入出力を切り替えるスイッチと、
前記記録媒体から読み出したAVストリームに対し、オーディオ、ビデオが同期するようにビデオストリーム、オーディオストリームを出力するデマルチプレクサと、前記デマルチプレクサから得られるビデオストリームをデコードし映像信号を得るビデオデコーダと、
前記ビデオデコーダから得られる映像信号を出力するモニタと、
前記デマルチプレクサから得られるオーディオストリームをデコードしLchおよびRchおよびナレーションの音声信号を得るオーディオデコーダと、
前記オーディオデコーダから得られる音声信号をダウンミックスして出力するダウンミックス回路とを備え、
記録したナレーション音声の音量を再生時に変更し、LchおよびRchにダウンミックスして出力することを特徴とする請求項４記載のビデオカメラ。
【請求項６】
前記ナレーションマイクから得られるデジタル信号に対し音量を調整するナレーションボリューム調整回路と、
前記Lch記録用マイクとRch記録用マイクから得られるデジタル信号に対し音量を調整するボリューム調整回路とを備え、
音声の記録時に双方のボリュームを相対的に調整することを特徴とした請求項４または５記載のビデオカメラ。
【請求項７】
前記オーディオデコーダは前記ナレーションボリューム調整回路もしくは前記ボリューム調整回路によりいずれかのチャネルがミュートされたときは、当該チャネルをエンコードしないことを特徴とする請求項６記載のビデオカメラ。
【請求項８】
前記ナレーションボリューム調整回路およびボリューム調整回路は前記カメラのズーム動作に応じてボリューム調整を行うことを特徴とする請求項６記載のビデオカメラ。
【請求項９】
前記ナレーションマイクから得られるデジタル信号が一定の音量以上であったときのみデジタル信号を透過するナレーション調整回路を備え、
撮影者の発する言葉を選択して記録することを特徴とした請求項４または請求項５に記載のビデオカメラ。
【請求項１０】
前記ナレーションマイクから得られるデジタル信号に対し音声認識処理を行う音声認識回路を備え、
撮影者の発する音声によりビデオカメラの制御を可能にすることを特徴とする請求項４または請求項５記載のビデオカメラ。
【請求項１１】
本体から取り外し可能なマイク付きヘッドホンと、
前記ヘッドホンからの音声信号を受信する受信回路とを備え、
前記ナレーションマイクから得るデジタル音声をビデオカメラ本体外部から入力することを特徴とする請求項４ないし請求項１０のいずれかに記載のビデオカメラ。
【発明の詳細な説明】
【技術分野】
【０００１】
本発明は、映像および音声を記録するビデオカメラのうち、特に撮影者のナレーションを記録するカメラに関する。
【背景技術】
【０００２】
撮影者のナレーションを鮮明に記録する技術の一例として、特許文献１に左右マイクロフォンのうちの撮影者の発する音声に対する集音状態が良好であるものを選択し、良好であるものから音声信号を導出し、記録する音声信号記録装置が記載されている。
【先行技術文献】
【特許文献】
【０００３】
【特許文献１】特開平6-245119号公報
【発明の概要】
【発明が解決しようとする課題】
【０００４】
しかし、上記音声信号記録装置では、一旦ナレーション記録モードで記録されると、再生時にナレーションの有無やその音量をコントロールすることはできないという問題がある。また、撮影者の意図しないナレーションや、撮影者付近の人の声が録音されてしまうという問題がある。さらに、撮影者は集音マイクに近いため、撮影目標付近の音声に比べてナレーションが大音量で記録されてしまう可能性がある。
【０００５】
かかる問題点に鑑み、本発明は撮影者のナレーションを再生時においても撮影目標の音声とは独立に音量のコントロールが可能なビデオカメラ等の記録再生装置を提供することを目的とする。さらにナレーションの記録、再生の有無の選択が可能な記録再生装置を提供することを目的とする。
【課題を解決するための手段】
【０００６】
上記課題を解決するために、本発明に係る記録装置は、第１の信号入力手段と、第２の信号入力手段と、第３の信号入力手段とを備え、前記第１の信号入力手段から入力された信号を前記記録媒体の第１の記録エリアに記録し、前記第２の信号入力手段から入力された信号を前記記録媒体の第２の記録エリアに記録し、前記第３の信号入力手段から入力された信号を前記記録媒体の第３の記録エリアに記録することを特徴とする記録装置。
【０００７】
また、本発明に係るビデオカメラは、撮影目標の左右の音声をそれぞれ集音するLchおよびRch記録用マイクと、撮影者の音声を集音するナレーション記録用マイクを備え、前記Lch記録用マイクと前記Rch記録用マイクと前記ナレーション記録用マイクから得られた音声を各チャンネルごとに独立にエンコードし、オーディオストリームを生成する構成とする。
【発明の効果】
【０００８】
本発明によれば、撮影者の発する音声によるナレーションを独立したチャネルに記録することにより、撮影目標付近の音声およびナレーション音声を鮮明に記録することができる。
【図面の簡単な説明】
【０００９】
【図１】本発明の第一の実施形態を示すブロック図である。
【図２】本発明の第二の実施形態を示すブロック図である。
【図３】本発明の第三の実施形態を示すブロック図である。
【図４】本発明の第四の実施形態を示すブロック図である。
【図５】本発明の第五の実施形態を示すブロック図である。
【図６】本発明の第六の実施形態を示すブロック図である。
【図７】本発明の第七の実施形態を示すブロック図である。
【図８】本発明の第八の実施形態を示すブロック図である。
【発明を実施するための形態】
【００１０】
以下、本発明の実施の形態について図面を参照しながら詳細に説明する。
【００１１】
まず、本発明の第一の実施形態について説明する。
図１は、本発明の第一のビデオカメラを示す図である。同図に示すように、このビデオカメラは、記録媒体１０と、マルチプレクサ２０と、ビデオエンコーダ３０と、オーディオエンコーダ４０と、カメラ５０と、撮影目標の左側音声を周音しデジタル信号に変換するLch記録用マイク６０と、撮影目標の右側音声を集音しデジタル信号に変換するRch記録用マイク７０と、ナレーションマイク８０とを備える。
【００１２】
カメラ５０で撮影された映像はデジタル信号に変換される。ビデオエンコーダ３０は、カメラ５０から得られるデジタル信号に対しエンコード処理を行い、ビデオストリームを生成する。Lch記録用マイク６０は、撮影目標のLch音声を集音し、デジタル信号に変換する。Rch記録用マイク７０は、撮影目標のRch音声を集音し、デジタル信号に変換する。ナレーションマイク８０は、撮影者の発する音声をデジタル信号に変換する。オーディオエンコーダ４０はLch記録用マイク６０と、Rch記録用マイク７０と、ナレーションマイク８０から得られる計3chの音声を各チャネルごとに独立にエンコードし、オーディオストリームを生成する。マルチプレクサ２０は、ビデオエンコーダ３０及びオーディオエンコーダ４０からエンコードされたストリームを受け取り、オーディオ、ビデオの同期化処理を行う。そして、生成したAVストリームを磁気テープや半導体メモリ、光ディスク等の記録媒体１０に書き込む。
【００１３】
本発明は上記のような構成にすることにより、撮影者の近くにマイクを置き、独立したチャネルに記録することで鮮明なナレーションが得られる。また、Lch記録用マイク６０、Rch記録用マイク７０は撮影者近辺の音声を集音する必要がなくなるため、撮影目標への指向性を大幅に高めることができ、撮影目標付近の音声を鮮明に記録できる。
【００１４】
以上述べたように、撮影者のナレーションを独立したチャネルに記録することによりナレーションを判別可能にすることができる。
【００１５】
次に本発明の第二の実施形態について説明する。
図２は本発明の第二のビデオカメラを示す図である。同図において、図１と同一部分については同一符号を付して説明を省略する。エンコード／デコード切替スイッチ１４０は、エンコード時は記録媒体１０への書込み側、デコード時は記録媒体１０からの読み出し側へ接続し、エンコード処理とデコード処理を区別する。デマルチプレクサ９０は、AVストリームをエンコード／デコード切替スイッチ１４０を経由して読み出し、ビデオストリーム、オーディオストリームを分離し、オーディオ、ビデオが同期するように出力する。ビデオデコーダ１００は、デマルチプレクサ９０からビデオストリームを読み出し、デコード処理を行い映像信号を得る。モニタ１３０は、ビデオデコーダ１００の出力する映像信号を表示する。オーディオデコーダ１１０は、デマルチプレクサ９０からオーディオストリームを読み出し、デコード処理を行いLch、Rch、ナレーションの計3chの音声信号を出力する。ダウンミックス回路１２０は、オーディオデコーダ１１０から3chの音声信号を読み出し、固定値もしくはユーザの設定によるダウンミックス係数を用いて2chにダウンミックスを行う。Lch記録用マイク／再生用スピーカ６１は、記録時は撮影目標のLch音声の集音を行い、再生時はLch音声を出力する。Rch記録用マイク／再生用スピーカ７１は、記録時は撮影目標のRch音声の集音を行い、再生時はRch音声を出力する。
【００１６】
本実施形態では、ナレーションを独立したチャネルに記録したAVストリームの再生時に、3chから2chへのダウンミックス処理を行うことにより、撮影目標付近の音声とナレーションの音声の音量を調節することが可能になる。
【００１７】
撮影目標付近の音声とナレーションの音声のダウンミックス係数はあらかじめ用意された係数値を用いてもよいし、ユーザが再生時に調整するようにしてもよい。また、再生時にナレーション音声をミュートすると撮影者付近の音声がほぼ遮断できるため、撮影者の周囲が騒々しい場合でも撮影目標付近の音声を鮮明に再生できる。同様に、再生時に撮影目標付近の音声をミュートすると、騒々しい場面の撮影でもナレーションが鮮明に再生できる。
【００１８】
以上述べたように、第二の実施形態では、再生時にダウンミックス係数を変更することによりナレーションの音量を制御可能にすることができる。
【００１９】
次に本発明の第三の実施形態について説明する。
図３は本発明の第三のビデオカメラを示す図である。同図において、図１と同一部分については同一符号を付して説明を省略する。ナレーションボリューム調整回路１５０は、ナレーションマイク８０から入力されるデジタル信号に対し音量の調整を行った後オーディオエンコーダ４０に出力する。ボリューム調整回路１５１は、Lch記録用マイク６０とRch記録用マイク７０から入力されたデジタル信号に対し音量の調整を行った後オーディオエンコーダ４０に出力する。
【００２０】
本実施形態では、ナレーションの音声と撮影目標付近の音声のボリュームを相対的に調整してから記録し、再生時のダウンミックスの手間を減らす。調整するボリューム値はあらかじめ用意した値でも、撮影者が記録時に設定した値でもよい。このように、記録時に音量を調節することにより、ナレーションの音量を制御可能にすることができる。
【００２１】
また、撮影目標付近の音声、もしくはナレーションをミュートし、ミュートしたチャネルをオーディオエンコーダ４０でエンコードしないことでオーディオストリームのビットレートを削減し、ビデオカメラの録画時間を延長することができる。
【００２２】
次に本発明の第四の実施形態について説明する。
図４は本発明の第四のビデオカメラを示す図である。同図において、図３と同一部分については同一符号を付して説明を省略する。ダウンミックス回路２３０は、Lch記録用マイク６０から得られるデジタル信号とRch記録用マイク７０から得られるデジタル信号をダウンミックスし、モノラルのデジタル信号を出力する。セレクタ２４０は、Lch記録用マイク６０から得られるデジタル信号、Rch記録用マイク７０から得られるデジタル信号、ダウンミックス回路２３０から得られるモノラルのデジタル信号、ナレーションマイク８０から得られるデジタル信号のうち、２つのチャネルを選択し、出力を行う。
【００２３】
本実施形態では、セレクタ２４０により２チャネルを選択してオーディオのエンコード処理を行うことで、従来の２チャネルに限定したオーディオエンコーダでもナレーションを鮮明に記録できる。エンコードするチャネルを２チャネルに限定することで、生成するビットストリームのビットレートを下がり記録時間を延ばすことができる。
【００２４】
以上述べたように、２チャネルに限定することにより従来のオーディオエンコーダでも本技術を利用することを可能にする効果がある。
【００２５】
次に本発明の第五の実施形態について説明する。
図５は本発明の第五のビデオカメラを示す図である。同図において、図３と同一部分については同一符号を付して説明を省略する。ズームコントローラ１６０は、撮影者の操作に基づきカメラ５０のズームレンズの移動を制御する。
【００２６】
本実施形態では、ナレーションボリューム調整回路１５０、ボリューム調整回路１５１のボリューム調整をズームコントローラ１６０の制御信号と連動させることで、撮影者の意図する音声を録音する。すなわちズームインしたとき、撮影者は遠くにある撮影目標を中心に記録することを望んでおり、カメラの指向性を鋭くし、撮影目標付近の音声を中心に再生するように,ナレーションに対する撮影目標付近の音声のボリュームを相対的に上げる。逆に、ズームアウトしたときは撮影目標と付近全体の音声を記録することを望んでおり、ナレーションに対するボリュームを相対的に下げるといった制御を行うことで撮影者の意図する映像を撮影できるようにする。
【００２７】
このように、ナレーションをズームに連動させることにより、撮影画像にあわせたナレーションの音量調整を可能にする効果がある。
【００２８】
次に本発明の第六の実施形態について説明する。
図６は本発明の第六のビデオカメラを示す図である。同図において、図１と同一部分については同一符号を付して説明を省略する。ナレーション調整回路１７０は、ナレーションマイクからのデジタル信号を受け取り、一定音量以上の音声の入力があったときにオーディオエンコーダにナレーションのデジタル信号を出力する。
【００２９】
本実施形態では、撮影者がナレーションを記録することを意識して、ある大きさの音量で話したときだけ記録を行い、それ以外のときはミュートすることでビットレートを下げ記録時間を延長する。また撮影者付近のナレーション以外の音声を記録時に遮断することで、より鮮明にナレーションを再生可能にする。
【００３０】
このように、撮影者の意図するナレーションだけを判別して記録することにより、明確にナレーションを記録する効果がある。
【００３１】
次に本発明の第七の実施形態について説明する。
図７は本発明の第七のビデオカメラを示す図である。同図において、図１と同一部分については同一符号を付して説明を省略する。切替スイッチ１８０はナレーションマイク８０の出力する音声信号を撮影者の選択により切り替える。音声認識回路１９０は、ナレーションマイク８０で集音した音声のデジタル信号を切替スイッチ１８０から受け取り、入力された音声を認識し該当する制御信号を出力する。システムコントローラ２００は、ビデオカメラ各部の動作制御を行い、音声認識回路１９０が出力する制御信号がある場合、制御信号の内容に従いシステム全体を制御する。
【００３２】
本実施形態では、撮影者がナレーションマイク８０を用いてナレーションを記録するだけでなく、発した言葉によりビデオカメラの制御を行うことを可能にする。従来のボタン操作による撮影中のビデオカメラ操作では、操作する内容の種類が限られる。しかし音声認識による制御により画面切替時のフェードイン、モザイクなどのエフェクトやカラー、白黒などの色調変更等の操作が撮影中に容易にできる。このように、音声認識回路を有することにより、ビデオカメラ各部の制御を可能にする効果がある。
【００３３】
次に本発明の第八の実施形態について説明する。
図８は本発明の第八のビデオカメラを示す図である。同図において、図１と同一部分については同一符号を付して説明を省略する。ヘッドホン型ナレーションマイク２２０はビデオカメラ本体から取り外しが可能になっていて、撮影者の頭部に装着し撮影者の発するナレーションをデジタル信号に変換する。受信回路２１０は、ヘッドホン型ナレーションマイク２２０が出力するナレーションのデジタル信号を受信し、オーディオエンコーダに出力する。
【００３４】
本実施例では、ナレーションマイクをビデオカメラ本体から取り外し可能にし、撮影者の口元に近づけてナレーションを録音することによりナレーションマイクの指向性を高められる。また、ビデオカメラを目元から離して撮影してもナレーションマイクは撮影者の口元であるため鮮明なナレーションが記録できる。撮影者はヘッドホンから記録中のLch、Rch記録用マイクの出力を聞くことができ、記録されている音声を確認しながらナレーションを行うこともできる。第八の実施形態はヘッドホンにより明確に撮影者のナレーションを集音することにより、撮影者周囲の雑音を遮断する効果がある。
【符号の説明】
【００３５】
１０      記録媒体
２０      マルチプレクサ
３０      ビデオエンコーダ
４０      オーディオエンコーダｓ
５０      カメラ
６０      Lch記録用マイク
６１      Lch記録用マイク／再生用スピーカ
７０      Rch記録用マイク７１      Rch記録用マイク／再生用スピーカ
８０      ナレーションマイク
９０      デマルチプレクサ
１００    ビデオデコーダ１１０    オーディオデコーダ
１２０    ダウンミックス回路
１３０    モニタ
１４０    エンコード／デコード切替スイッチ
１５０    ナレーションボリューム調整回路
１５１    ボリューム調整回路
１６０    ズームコントローラ
１７０    ナレーション調整回路
１８０    切替スイッチ
１９０    音声認識回路
２００    システムコントローラ
２１０    受信回路
２２０    ヘッドホン型ナレーションマイク
２３０    ダウンミックス回路
２４０    セレクタ
【図１】
2011130469.tif 000003
【図２】
2011130469.tif 000004
【図３】
2011130469.tif 000005
【図４】
2011130469.tif 000006
【図５】
2011130469.tif 000007
【図６】
2011130469.tif 000008
【図７】
2011130469.tif 000009
【図８】
2011130469.tif 000010
【手続補正書】
【提出日】平成23年1月21日(2011.1.21)
【手続補正１】
【補正対象書類名】特許請求の範囲
【補正対象項目名】全文
【補正方法】変更
【補正の内容】
【特許請求の範囲】
【請求項１】
撮影目標のLch音声を集音して音声信号に変換するLch記録用マイクと、
撮影目標のRch音声を集音して音声信号に変換するRch記録用マイクと、
前記Lch記録用マイク及び前記Rch記録用マイクよりも撮影者に近い位置に配置され、第
３の音声を集音して音声信号に変換する第３のマイクと、
前記Lch記録用マイク、前記Rch記録用マイク、前記第３のマイクから得られる音声信号
に対し、情報圧縮を行いオーディオストリームを生成するオーディオエンコーダと、
撮影目標の映像を映像信号に変換するカメラと、
前記カメラから得られた前記映像信号に対し情報圧縮を行いビデオストリームを生成す
るビデオエンコーダと、
前記ビデオエンコーダから得られた前記ビデオストリームと前記オーディオエンコーダ
から得られた前記オーディオストリームが同期して再生されるよう同期処理を行いAVスト
リームを生成するマルチプレクサと、
前記マルチプレクサから出力された前記AVストリームを記録媒体に記録する記録手段と
を備え、
前記オーディオエンコーダは前記Lch記録用マイク、前記Rch記録用マイク、前記第３の
マイクから得られた音声信号を独立したチャネルとして、撮像中に並行してエンコードす
ることを特徴とするビデオカメラ。
【請求項２】
前記第３のマイクから得られた音声信号に対し音声認識処理を行う音声認識回路を備え
、
撮影者の発する音声により、撮影中のビデオカメラの制御を可能にすることを特徴とす
る請求項１に記載のビデオカメラ。
【請求項３】
前記第３のマイクは、前記ビデオカメラ本体の外部の離れた位置に配置可能であり、
前記第３のマイクからの音声信号を受信する受信回路とを備え、
前記受信回路は、前記第３のマイクから得られた音声信号をビデオカメラ本体外部から
入力し、前記オーディオエンコーダに出力し、
前記オーディオエンコーダは、前記受信回路から出力された音声信号に対し、情報圧縮
を行いオーディオストリームを生成することを特徴とする請求項１ないし請求項７のいず
れかに記載のビデオカメラ。
【手続補正３】
【補正対象書類名】明細書
【補正対象項目名】０００５
【補正方法】変更
【補正の内容】
【０００５】
かかる問題点に鑑み、本発明は撮影者付近の音声と、撮影目標付近の音声とを判別可能にすることを目的とする。
【手続補正４】
【補正対象書類名】明細書
【補正対象項目名】０００６
【補正方法】変更
【補正の内容】
【０００６】
上記目的は特許請求の範囲に記載の発明により達成される。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
本発明によれば、撮影目標付近の音声および撮影者付近の音声を判別可能に記録することができる。